(57)【要約】【課題】芯タンクに対するチャックの曲がりや芯タンクの歪みが若干生じた場合においても、チャックユニットを円滑に作動させることが可能なシャープペンシルの提供。【解決手段】シャープペンシル１０は、外筒１１と、芯を収容する芯タンク１２と、芯を前端方向へ向けて送り出すと共に芯を締付けるチャックユニット２０と、を備える。チャックユニット２０は、芯タンク１２の前端部に設けられ、複数のチャック片２１ａを有するチャック２１と、チャック２１を挿通されたチャックリング２２と、を備える。外筒１１の内部には、芯を挿通可能な挿通孔１４ｃを有する押圧部材１４がチャック２１の前端側に設けられ、この押圧部材１４の前端側に弾性部材１５が設けられる。弾性部材１５は、押圧部材１４をチャック２１の前端部に押圧すると共に、複数のチャック片２１ａをチャックリング２２の内部に嵌入させる。【選択図】図２
2015178256.tif 000002
【特許請求の範囲】
【請求項１】
外筒と、
前記外筒の内部に設けられ、芯を収容する芯タンクと、
前記外筒の内部に設けられ、前記芯タンクの芯を前端方向へ向けて送り出すと共に芯を締付けるチャックユニットと、
を備え、
前記チャックユニットが、
前記芯タンクの前端部に設けられ、複数のチャック片を有するチャックと、
前記チャックを挿通されたチャックリングと、
を備えたシャープペンシルにおいて、
前記外筒の内部における前記チャックの前端側の位置に設けられ、芯を挿通可能な挿通孔を有する押圧部材と、
前記外筒の内部における前記押圧部材の前端側の位置に設けられた弾性部材と、
を備え、
前記弾性部材は、前記押圧部材を前記チャックの前端部に押圧すると共に、前記複数のチャック片を前記チャックリングの内部に嵌入させることを特徴とするシャープペンシル。
【請求項２】
前記チャックが前記芯タンクに対して揺動可能に取り付けられていることを特徴とする請求項１記載のシャープペンシル。
【請求項３】
前記芯タンクの前端部の内周には、径方向外方に段状に拡径した係止段部が形成され、
前記チャックの後端部には、前記芯タンクの内部に挿入される挿入部が形成され、
前記挿入部の後端部の外周には、前記挿入部に係合する凸部が形成され、
前記挿入部における前記凸部よりも前端側の部分は、その外径が芯タンクの内径よりも小さく形成されていることを特徴とする請求項２に記載のシャープペンシル。
【請求項４】
前記外筒における前記押圧部材よりも前端側の位置には、芯を保持する芯保持具が設けられ、
前記押圧部材には、前記チャックから前記押圧部材の前記挿通孔へ挿入された芯を前記芯保持具へ案内する案内部が形成されたことを特徴とする請求項１から３のいずれかに記載のシャープペンシル。
【発明の詳細な説明】
【技術分野】
【０００１】
本発明は、チャックユニットを備えるシャープペンシルに関し、チャックユニットの円滑動作が図られたシャープペンシルに関する。
【背景技術】
【０００２】
従来、シャープペンシルは、外筒と、外筒の内部に設けられて芯を収容する芯タンクと、芯タンクの後端部に設けられた外筒の後端開口から外方へ突出するノック部材と、芯タンクの前端部に設けられて芯を送り出すチャックユニットと、を備えている。また、チャックユニットは、芯タンクの前端部に圧入固定されると共に複数のチャック片を有するチャックと、複数のチャック片に外嵌されるチャックリングと、チャックが挿通されてチャックを後方へ付勢するチャックスプリングと、チャックスプリング及び芯タンクの前端部に外嵌されるスリーブと、を備えている。また、スリーブの前端部内周には、径方向内方に突出した内周リムが形成されており、この内周リムの前端面にチャックリングの後端縁が当接している。さらに、スリーブの内周リムと芯タンクの前端縁との間には、チャックスプリングが介挿されている（特許文献１参照）。
使用者によりノック部材の操作がなされると、チャックスプリングの付勢力に抗して芯タンク及びチャックが前進するものの、スリーブ及びチャックリングが外筒の内周段部に当接してこれ以上前進できない。そして、このチャックリングの内周に沿って複数のチャック片が前進し、複数のチャック片がチャックリングを抜け出しつつ拡開することにより、チャックが芯を前端方向へ送り出しつつ解放する。
【先行技術文献】
【特許文献】
【０００３】
【特許文献１】特開２０１２−１０６４５２号公報
【発明の概要】
【発明が解決しようとする課題】
【０００４】
ところで、チャックスプリングは、スリーブの内周リムと芯タンクの前端縁との間に介挿されて、芯タンクの前端縁を後端方向へ押圧している。したがって、チャックスプリングがチャックを引き上げて複数のチャック片をチャックリング内へ引き込むことにより、チャックに芯を締め付けさせている。また、芯タンクへのチャックの固定は、圧入によって固定されており、この圧入工程時にチャックが芯タンクに対して若干曲がった状態で固定されたり、芯タンクが若干歪んだりすることがあった。そのため、ノック部材のノック操作解除に伴い、芯タンクがスリーブに沿って後退すると共にチャックがチャックリングに対して傾いた状態で後退し、複数のチャック片がチャックリング内へ十分に挿入される前にチャック片がチャックリングに係止されることがあった。これにより、チャックが芯の保持に必要な締め付け力を確保できず、筆記圧に耐えられずに芯が先端パイプ内へ潜ってしまうことがあった。
【０００５】
そこで、本発明は、上述した点に鑑み、芯タンクに対するチャックの曲がりや芯タンクの歪みが若干生じた場合においても、チャックが芯を保持するのに必要な締め付け力を確保できるシャープペンシルを提供することを目的とする。
【課題を解決するための手段】
【０００６】
上記課題を解決するために、本発明のうち第１の発明によれば、
外筒と、
前記外筒の内部に設けられ、芯を収容する芯タンクと、
前記外筒の内部に設けられ、前記芯タンクの芯を前端方向へ向けて送り出すと共に芯を締付けるチャックユニットと、
を備え、
前記チャックユニットが、
前記芯タンクの前端部に設けられ、複数のチャック片を有するチャックと、
前記チャックを挿通されたチャックリングと、
を備えたシャープペンシルにおいて、
前記外筒の内部における前記チャックの前端側の位置に設けられ、芯を挿通可能な挿通孔を有する押圧部材と、
前記外筒の内部における前記押圧部材の前端側の位置に設けられた弾性部材と、
を備え、
前記弾性部材は、前記押圧部材を前記チャックの前端部に押圧すると共に、前記複数のチャック片を前記チャックリングの内部に嵌入させることを特徴とするシャープペンシルが得られる。
【０００７】
「チャック」は、一体に形成されていてもよく、複数の部品により構成されていてもよい。例えば、複数のチャック片を有するチャック本体と、このチャック本体と芯タンクとを連結するチャック継手とを組み合わせることにより、チャックを構成してもよい。
【０００８】
本発明のうち第２の発明によれば、上記第１の発明の特徴に加え、
前記チャックが前記芯タンクに対して揺動可能に取り付けられていることを特徴とするシャープペンシルが得られる。
【０００９】
本発明のうち第３の発明によれば、上記第２の発明の特徴に加え、
前記芯タンクの前端部の内周には、径方向外方に段状に拡径した係止段部が形成され、
前記チャックの後端部には、前記芯タンクの内部に挿入される挿入部が形成され、
前記挿入部の後端部の外周には、前記挿入部に係合する凸部が形成され、
前記挿入部における前記凸部よりも前端側の部分は、その外径が芯タンクの内径よりも小さく形成されていることを特徴とするシャープペンシルが得られる。
【００１０】
上記構成により、芯タンク内に挿入された挿入部を中心に、チャックが芯タンクに対して揺動できるようになる。
【００１１】
本発明のうち第４の発明によれば、上記第１ないし第３の発明のいずれか一の特徴に加え、
前記外筒における前記押圧部材よりも前端側の位置には、芯を保持する芯保持具が設けられ、
前記押圧部材には、前記チャックから前記押圧部材の前記挿通孔へ挿入された芯を前記芯保持具へ案内する案内部が形成されたことを特徴とするシャープペンシルが得られる。
【００１２】
「芯保持具」は、特許文献１のごとく外筒に対して摺動可能に設けられるものの他、外筒に固定配置されるものも含まれる。また、芯保持具は、一体に形成されていてもよく、複数の部品により構成されていてもよい。
【発明の効果】
【００１３】
第１の発明によれば、弾性部材が外筒の内部におけるチャックよりも前端側の位置に設けられ、この弾性部材が押圧部材を介してチャックを押し上げて複数のチャック片をチャックリング内に押し込むことにより、チャックに芯を締め付けさせている。これにより、芯タンクに対するチャックの曲がりや芯タンクの歪みが若干生じた場合において、複数のチャック片がチャックリング内へ十分に挿入される前にチャック片がチャックリングに係止されることがなくなり、チャックが芯を保持するのに必要な締め付け力を確保できる。また、第１の発明によれば、弾性部材が押圧部材を介してチャックを押し上げており、チャックの前端形状に拘らず弾性部材がチャック片の開閉を妨げないことから、いかなる前端形状のチャックも用いることができる。
【００１４】
第２または第３の発明によれば、上記第１の発明の効果に加え、以下の効果を奏する。すなわち、第２または第３の発明によれば、チャックが芯タンクに対して揺動可能に取り付けられることから、チャックが芯タンクに対して曲がった状態で固定されることを防止でき、また、芯タンクの若干の歪みが生じてもチャックが揺動して複数のチャック片がチャックリング内へ適度に挿入されるため、チャックが芯を保持するのに必要な締め付け力を確保できる。
【００１５】
第４の発明によれば、上記第１ないし第３の発明のいずれか一の効果に加え、以下の効果を奏する。すなわち、挿通孔へ送り出された短い芯が、案内部の内部を通って芯保持具内へ確実に送り出される。したがって、短い芯が芯保持具内へ送られずに外筒の前端部内に零れ落ちて、短い芯が弾性部材や押圧部材の作動を阻害することを防止できる。
【図面の簡単な説明】
【００１６】
【図１】本発明に係るシャープペンシルの実施形態１の断面図
【図２】実施形態１の要部断面図
【図３】実施形態１に備えられる芯保持具を示す図であり、（ａ）側面図、（ｂ）底面図
【図４】実施形態１に備えられる押圧部材を示す図であり、（ａ）側面図、（ｂ）断面図
【図５】実施形態１の芯送り出し時を示す要部断面図
【図６】実施形態２の要部断面図
【図７】実施形態２のチャックと芯タンクの接合部分の断面図
【図８】実施形態３の要部断面図
【図９】実施形態３に備えられる押圧部材を示す図であり、（ａ）側面図、（ｂ）断面図
【図１０】チャックと芯タンクの接合部分の変形例の断面図
【発明を実施するための形態】
【００１７】
以下、本発明の実施態様について、図面を参照しながら具体的に説明する。なお、以下の実施態様は、本発明を具体化する際の一形態であって、本発明をその範囲内に限定するものではない。
【００１８】
＜実施態様１＞
図１は、本発明に係るシャープペンシルの実施形態１を示す図（一部切り欠き断面図）であり、図２は、その要部断面図である。図１に示されるように、本実施形態のシャープペンシル１０は、外筒１１と、芯タンク１２と、チャックユニット２０と、ガイドパイプ（芯保持具）１３と、押圧部材１４と、スプリング（弾性部材）１５と、ノック部材１６（受け台１６ａ、消しゴム１６ｂ及びカバー１６ｃによって構成される）と、スリーブ２３と、緩衝スプリング１９などを備える。
【００１９】
外筒１１は、シャープペンシル１０の基本的な外形を形成すると共に、シャープペンシル１０の各機構を内部に収めるものである。本実施形態では、外筒１１は、軸筒１１ａと先具１１ｂと双方を連結する中筒１１ｃとで構成されているが、本発明の外筒は、これに限定されるものでなく、公知の外筒を用いることができる。外筒１１の内部には、芯Ｌを内部に収容する芯タンク１２と、芯タンク１２の芯Ｌを前端方向へ向けて送り出すと共に芯Ｌを締め付けるチャックユニット２０が配される。チャックユニット２０は、図２に示されるように、芯タンク１２の前端部に設けられるチャック２１と、当該チャック２１が挿通されるチャックリング２２と、芯タンク１２及びチャック２１が挿通され、チャックリング２２の後端に当接するスリーブ２３と、を備えている。チャック２１は、その後端部が芯タンク１２内に圧入固定されている。チャック２１は複数のチャック片２１ａを有しており、この複数のチャック片２１ａがチャックリング２２の内部に嵌入されることで、芯Ｌに対する締付け力が生じるようになっている。なお、本実施形態では、チャック片２１ａが２つのものを例としているが、これに限られず、３つ以上のチャック片２１ａを有するものであってもよい。また、本実施の形態では、芯タンク１２の外周におけるスリーブ２３の後端と中筒１１ｃの後端側内縁１１ｄとの間には緩衝スプリング１９が介挿されており、緩衝スプリング１９がスリーブ２３を前端方向へ常時付勢している。
【００２０】
図３は、ガイドパイプ１３を示す図であり、（ａ）は側面図、（ｂ）は底面図をそれぞれ示す。ガイドパイプ１３は、外筒１１の先端部に設けられ、適当な摩擦力で芯Ｌを保持することによりチャック２１の拡開時に芯Ｌの滑り落ちを防止する芯保持具として機能する。図３に示されるように、本実施形態において、ガイドパイプ１３は、基本態様が円筒であり、前端部において外径が段状に拡径した拡径部１３ｄが形成され、そこから前端にかけて先細りになるように形成される。また、ガイドパイプ１３は、その前端から軸方向に沿った一対のスリットによって芯押え部１３ｃが形成される。当該芯押え部１３ｃは弾性を有しており、その前端が径方向内方に向かって傾斜して形成される。これにより、図３（ｂ）に示されるように、ガイドパイプ１３の内部に芯Ｌが挿通されると、芯押え部１３ｃが芯Ｌを押さえつけ、これにより芯押え部１３ｃと芯Ｌとに適当な摩擦力が生じて芯Ｌの滑り落ちが防止される。図３（ａ）に示されるように、ガイドパイプ１３には、周方向に環状に窪んだ２つの段差凹部１３ａ，１３ｂが設けられており、ここにそれぞれＯリング１３ｅ，１３ｆ（図２参照）が嵌めこまれている。
【００２１】
図４は、押圧部材１４を示す図であり、（ａ）は側面図、（ｂ）は断面図をそれぞれ示す。押圧部材１４は、先具１１ｂの内部におけるチャック２１の前端部に対向する位置に設けられ、スプリング１５の弾性力をチャック２１に伝達するものである。また、押圧部材１４は、先具１１ｂにおけるガイドパイプ１３とチャック２１との間を軸方向に移動可能に形成される。図４に示されるように、実施形態１における押圧部材１４は、円盤状の蓋部１４ａを有しており、この蓋部１４ａの中心部には芯Ｌを挿通可能な挿通孔１４ｃが貫通している。図４（ｂ）に示されるように、挿通孔１４ｃの入口部分においてテーパー面が形成される。また、蓋部１４ａには、その前端側の周縁から突出した突縁部１４ｂが設けられており、この突縁部１４ｂは先具１１ｂの内壁面に摺接している。
【００２２】
図５は、ノック部材１６のノック操作が行われて、チャック片２１ａがチャックリング２２から突出した状態を示した図である。図５に示されるように、ガイドパイプ１３は、先具１１ｂの先端に、軸方向に摺動可能に挿通されており、段差凹部１３ａ（図３（ａ）参照）に設けられたＯリング１３ｅと先具１１ｂの前端側開口部との間に生じる摩擦力によって、先具１１ｂに対するガイドパイプ１３の摺動を適当なものにしている。また、段差凹部１３ｂ（図３（ａ）参照）に設けられたＯリング１３ｆが先具１１ｂ内部の段差部１１ｅと当接することにより、ガイドパイプ１３の先具１１ｂからの抜け落ちを防止している。
【００２３】
図２及び図５に示されるように、スプリング１５は、押圧部材１４の蓋部１４ａと先具１１ｂ内の段差部１１ｅとの間に位置し、突縁部１４ｂの内側に設けられている。当該スプリング１５は、その弾性により押圧部材１４をチャック２１の前端面へ押圧すると共に、押圧部材１４を介してチャック２１を後端方向へと押し上げている。これにより、常態において、複数のチャック片２１ａがチャックリング２２の内部に嵌入されるようになっている。
【００２４】
次に、図２及び図５を参照しつつ、シャープペンシル１０の芯送り出し時の動作について概略を説明する。
【００２５】
図２は、ノック部材１６に対してノック操作がなされていないシャープペンシル１０の状態を示し、図５は、ノック部材１６に対してノック操作がなされているシャープペンシル１０の状態を示している。ノック部材１６に対するノック操作により、芯タンク１２及びチャックユニット２０が外筒１１内を前端方向へ向けて移動する。詳述すると、スプリング１５の弾力に抗してノック部材１６が外筒１１内へ押し込まれると、芯タンク１２及びチャック２１が外筒１１内を前端方向へ移動するが、スリーブ２３の前端が先具１１ｂ内周の段差部１１ｇに当接しているためスリーブ２３がこれ以上前端方向へ移動できず、チャックリング２２の前端が先具１１ｂ内周の段差部１１ｆに当接してチャックリング２２がこれ以上前端方向へ移動できない。このようにチャックリング２２の前進が阻止されるため、チャック２１のチャック片２１ａがチャックリング２２から前端方向へ突出して拡開する。そして、チャック片２１ａの拡開により芯Ｌが自重によりチャック２１内を落下し、芯Ｌの先端が押圧部材１４の挿通孔１４ｃを通過してガイドパイプ１３内に到達することとなる（図５参照）。
【００２６】
また、チャック２１の前端方向への移動により、チャック片２１ａが押圧部材１４を前端方向へ押動し、押圧部材１４がスプリング１５を圧縮しながら前端方向へ移動する。そして、押圧部材１４の蓋部１４ａがガイドパイプ１３の後端部に当接して、ガイドパイプ１３を前端方向へ押動していく。ガイドパイプ１３は、前述のごとく、Ｏリング１３ｆが先具１１ｂの段差部１１ｅに当接するまで前進することができる。なお、チャック２１に締付けられた芯Ｌがガイドパイプ１３内に達している場合には、ノック部材１６に対するノック操作により前進する芯Ｌによってもガイドパイプ１３が前進され得る。
【００２７】
ノック部材１６に対するノック操作の解除により、芯タンク１２及びチャックユニット２０が外筒１１内を後端方向へ押し戻される。詳述すると、ノック部材１６に対するノック操作の解除に伴い、スプリング１５の弾力によって押圧部材１４が後端方向へ押し戻され、この押圧部材１４に当接するチャック２１が後端方向へ押し戻されて、芯タンク１２及びノック部材１６も後端方向へ押し戻される。そして、後端方向へ押し戻されたチャック２１がチャックリング２２に引き込まれて、チャック片２１ａがチャックリング２２の内部に嵌入されると共に、チャックリング２２がスリーブ２３の前端側に当接することにより、チャック片２１ａが閉じられて芯Ｌを締め付けるようになる。このようにノック部材１６に対するノック操作が繰り返される度にチャックユニット２０、押圧部材１４及びスプリング１５が上述の動作を繰り返し、チャック２１により芯Ｌが前端方向へ送られてガイドパイプ１３の前端から外方へ突出することとなる。
【００２８】
上記説明から明らかなように、実施形態１のシャープペンシル１０では、スプリング１５（弾性部材）が外筒１１の内部におけるチャック２１よりも前端側の位置に設けられ、このスプリング１５が押圧部材１４を介してチャック２１を押し上げて複数のチャック片２１ａをチャックリング２２内に押し込むことにより、チャック２１に芯Ｌを締め付けさせている。これにより、芯タンク１２に対するチャック２１の曲がりや芯タンク１２の歪みが若干生じた場合において、複数のチャック片２１ａがチャックリング２２内へ十分に挿入される前にチャック片２１ａがチャックリング２２に係止されることがなくなり、チャック２１が芯Ｌを保持するのに必要な締め付け力を確保できる。また、実施形態１によれば、スプリング１５が押圧部材１４を介してチャック２１を押し上げており、チャック２１の前端形状に拘らずスプリング１５がチャック片２１ａの開閉を妨げないことから、いかなる前端形状のチャック２１も用いることができる。
【００２９】
また、従来のシャープペンシルでは、チャックがチャックスプリングに挿通されると共に、このチャックスプリングにスリーブが外嵌されており、チャックスプリングとスリーブとの間に摩擦が生じていた。これに対し、実施形態１のシャープペンシル１０では、チャック２１がスプリング１５に挿通されておらず、スプリング１５とスリーブ２３との間に摩擦が生じないため、従来よりも円滑に作動するチャックユニット２０が得られる。
【００３０】
＜実施態様２＞
図６は、実施形態２のシャープペンシルの要部断面図である。以下、主に実施形態１と相違する部分について説明し、実施形態１と同様の構成については説明を省略若しくは簡略化する。
【００３１】
実施形態２は、芯タンク４２の内部に規制部４３が形成されている点と、チャック５１が芯タンク４２に揺動可能に取り付けられている点において、実施形態１と相違している。規制部４３は、芯タンク４２内に収納されている芯Ｌを１本ずつチャック５１へ案内するものである。図６に示されるように、規制部４３は、芯タンク４２内におけるチャック５１の後端側の位置に設けられている。規制部４３は、その内径が芯Ｌを１本ずつ挿入可能なサイズにて形成され、その後端側にテーパー面が形成される。芯タンク４２内で折れて短くなった芯Ｌは、この規制部４３によってチャック５１の孔へと１本ずつガイドされる。
【００３２】
図７は、実施形態２におけるチャック５１と芯タンク４２との接合状態を説明するための図である。図７に示されるように、芯タンク４２の前端部の内周には、周方向に連続した凹部４２ａが形成されており、この凹部４２ａの前端側部分が径方向外方に段状に拡径した係止段部４２ｂとなっている。チャック５１の後端部には、芯タンク４２の内部に挿入される挿入部５１ｂと、チャック５１の芯タンク４２内への挿入深さを所定位置にとどめる鍔部５１ｄとが形成されている。また、挿入部５１ｂの後端部には、芯タンク４２内の係止段部４２ｂに係合する凸部５１ｃが周方向に連続して形成されている。凸部５１ｃの前端側の部分は、径方向外方に延設された係止面となっており、凸部５１ｃの後端側の部分は、後端方向にかけてテーパー状に縮径したテーパー面となっている。挿入部５１ｂにおける凸部５１ｃよりも前端側の部分は、その外径が芯タンク４２の内径より小さく形成される。
【００３３】
図７に示されるように、チャック５１の挿入部５１ｂが芯タンク４２内に挿入され、チャック５１の凸部５１ｃが芯タンク４２の凹部４２ａに挿入される。この凸部５１ｃが凹部４２ａの係止段部４２ｂに係止することにより、チャック５１が芯タンク４２から抜け落ちることを防止している。また、チャック５１の鍔部５１ｄが芯タンク４２の前端縁に当接することにより、チャック５１が芯タンク４２内へさらに挿入されることを防止している。挿入部５１ｂにおける凸部５１ｃよりも前端側部分の外周面と、芯タンク４２における係止段部４２ｂよりも前端側の内周面との間には、所定のクリアランスが形成されており、また、凸部５１ｃの前端面から鍔部５１ｄの後端面までの距離が、芯タンク４２における係止段部４２ｂから前端縁までの距離よりも若干長く形成されており、チャック５１が芯タンク４２に対して揺動可能に取り付けられている。
【００３４】
上記説明から明らかなように、実施形態２によれば、実施形態１の効果に加え、以下の効果を奏する。すなわち、実施形態２によれば、チャック５１が芯タンク４２に対して揺動可能に取り付けられることから、チャック５１が芯タンク４２に対して曲がった状態で固定されることを防止でき、また、芯タンク４２の若干の歪みが生じてもチャック５１が揺動して複数のチャック片５１ａがチャックリング２２内へ適度に挿入されるため、チャック５１が芯Ｌを保持するのに必要な締め付け力を確保できる。
【００３５】
＜実施態様３＞
図８は、実施形態３のシャープペンシルの要部断面図である。以下、主に実施形態１と相違する部分について説明し、実施形態１と同様の構成については説明を省略若しくは簡略化する。
【００３６】
実施形態３は、押圧部材９４に案内部９４ｄが形成されている点で、実施形態１と相違する。この案内部９４ｄは、チャック２１から押圧部材９４の挿通孔９４ｃ（図９（ｂ）参照）に挿入された芯Ｌをガイドパイプ１３へと案内するためのものである。
【００３７】
図９は、実施形態３の押圧部材９４を示す図であり、（ａ）は側面図、（ｂ）は断面図をそれぞれ示す。実施形態３の押圧部材９４は、実施形態１の押圧部材１４と同様、円盤状の蓋部９４ａを有しており、この蓋部９４ａの中心部には芯Ｌを挿通可能な挿通孔９４ｃが貫通している。また、蓋部９４ａには、その前端側の周縁から突出した突縁部９４ｂが設けられている。さらに、蓋部９４ａには、挿通孔９４ｃの前端縁から前端方向へ筒状に突出した案内部９４ｄが形成されている。図８に示されるように、実施形態３のスプリング１５は、実施形態１と同様、押圧部材９４の蓋部９４ａと先具１１ｂ内の段差部１１ｅとの間に位置し、突縁部９４ｂの内側に設けられている。また、スプリング１５には案内部９４ｄが挿通されている。
【００３８】
図８に示されるように、押圧部材９４の蓋部９４ａは、スプリング１５によりチャック２１の前端部に押圧されている。また、外筒１１内における押圧部材９４及びガイドパイプ１３の位置に拘らず、押圧部材９４の案内部９４ｄがガイドパイプ１３の内部に挿通されている。そして、チャック２１から押圧部材９４の挿通孔９４ｃへ挿入された芯が、案内部９４ｄの内部を通ってガイドパイプ１３内へ送り出されるようになっている。
【００３９】
上記説明から明らかなように、実施形態３によれば、挿通孔９４ｃへ送り出された短い芯Ｌが、案内部９４ｄの内部を通ってガイドパイプ１３内へ確実に送り出される。したがって、短い芯Ｌがガイドパイプ１３内へ送られずに先具１１ｂ（外筒１１の前端部）内に零れ落ちて、短い芯Ｌがスプリング１５（弾性部材）や押圧部材９４の作動を阻害することを防止できる。
【００４０】
なお、本発明は、以上の実施形態に限定されるものでなく、本発明の趣旨に反しない範囲で様々な変更が可能である。
上述の実施形態では、チャック２１，５１が一体に形成されているが、本発明はこれに限られるものでなく、複数の部品によりチャックを構成してもよい。例えば、図１０に示されるように、複数のチャック片（図示せず）を有するチャック本体７２と、このチャック本体７２と芯タンク６２とを連結するチャック継手７３とを組み合わせることにより、チャック７１を構成してもよい。
【００４１】
また、実施形態２では、チャック５１を芯タンク４２に対して揺動可能に取り付ける構成として、上述のような具体例を示したが、本発明はこれに限られるものでなく、本発明の趣旨に反しない範囲で「チャックを芯タンクに対して揺動可能に取り付ける」ことが可能なその他の構成も含まれる。
実施形態２では、挿入部５１ｂに周方向に連続した環状の凸部５１ｃを形成したが、例えば、図１０に示されるように、芯タンク６２の内部に挿入される挿入部７３ｂに複数の凸部７３ｃを周方向に形成してもよい。また、実施形態２では、芯タンク４２内周に凹部４２ａを形成すると共に、この凹部４２ａの前端側部分を係止段部４２ｂとしたが、例えば、図１０に示されるように、芯タンク６２に複数の貫通孔６２ａを周方向に形成し、この貫通孔６２ａの前端側部分を係止段部６２ｂとしてもよい。
【００４２】
以上の実施形態では、芯Ｌを保持してチャック２１，５１，７１の拡開時に芯Ｌの滑り落ちを防止する芯保持具として、上述のガイドパイプ１３が用いられているが、公知の芯保持具を用いることができる。また、上述のガイドパイプ１３に換えて、エラストマー等の弾性体で形成した摩擦部材を先具１１ｂ内に配設し、この摩擦部材を芯保持具として機能させてもよい。
【００４３】
また、以上の実施形態では、芯タンク１２の外周におけるスリーブ２３の後端と中筒１１ｃの後端側内縁１１ｄとの間には緩衝スプリング１９が介挿されており、緩衝スプリング１９が芯Ｌに対する筆記圧を吸収するように形成されているが、緩衝スプリング１９を設けずにスリーブ２３を中筒１１ｃの後端側内縁１１ｄに当接するように形成されてもよい。これに加え、可撓性を有する公知のスリーブを用いることにより、芯Ｌに対する筆記圧を吸収するように形成されてもよい。
【符号の説明】
【００４４】
１０．．．シャープペンシル、１１．．．外筒、１１ａ．．．軸筒、１１ｂ．．．先具、１１ｃ．．．中筒、１１ｄ．．．後端側内縁、１１ｅ・１１ｆ・１１ｇ．．．段差部、１２・４２・６２．．．芯タンク、１３．．．ガイドパイプ、１３ａ・１３ｂ．．．段差凹部、１３ｃ．．．芯押え部、１３ｄ．．．拡径部、１３ｅ・１３ｆ．．．Ｏリング、１４・９４．．．押圧部材、１４ａ・９４ａ．．．蓋部、１４ｂ・９４ｂ．．．突縁部、１４ｃ・９４ｃ．．．挿通孔、１５．．．スプリング（弾性部材）、１６．．．ノック部材、１６ａ．．．受け台、１６ｂ．．．消しゴム、１６ｃ．．．カバー、１９．．．緩衝スプリング、２０．．．チャックユニット、２１・５１・７１．．．チャック、２１ａ・５１ａ．．．チャック片、２２．．．チャックリング、２３．．．スリーブ、４２ａ．．．凹部、４２ｂ．．．係止段部、４３．．．規制部、５１ｂ・７３ｂ．．．挿入部、５１ｃ・７３ｃ．．．凸部、５１ｄ．．．鍔部、６２ａ．．．貫通孔、６２ｂ．．．係止段部、７２．．．チャック本体、７３．．．チャック継手、９４ｄ．．．案内部、Ｌ．．．芯
【図１】
2015178256.tif 000003
【図２】
2015178256.tif 000004
【図３】
2015178256.tif 000005
【図４】
2015178256.tif 000006
【図５】
2015178256.tif 000007
【図６】
2015178256.tif 000008
【図７】
2015178256.tif 000009
【図８】
2015178256.tif 000010
【図９】
2015178256.tif 000011
【図１０】
2015178256.tif 000012